(57)【特許請求の範囲】
【請求項１】
外周面に多数の小孔又はスリットを有し、内部に分散用媒体が収納され、スラリーを充填した分散槽内に回転自在に配置されるバスケットを備え、前記バスケット内には攪拌部材が該バスケットに対して相対的に回転可能なように配置された分散装置用の分散器であって、前記バスケットの上面と下面の少なくとも一方に回転軸にほぼ平行な内周壁面を形成する凹部を設け、前記内周壁面に多数の小孔又はスリットを形成して、該バスケットの回転に伴い分散槽内のスラリーが前記凹部から前記内周壁面の前記小孔又はスリットを通って前記バスケット内に入り、前記外周面の前記小孔又はスリットから分散槽内に排出されるようになったことを特徴とする分散装置用の分散器。
【請求項２】
請求項１に記載した分散装置用の分散器であって、前記バスケットの前記外周面は回転軸に同軸の円筒面であり、前記凹部は前記外周面に同軸の円筒形凹部であることを特徴とする分散装置用の分散器。
【請求項３】
分散される物質を含むスラリーを収容するための分散槽と、前記分散槽の内部に配置される分散器とからなる分散装置であって、
前記分散器は、
中空軸により前記分散槽に対して上下方向に移動可能に支持されたバスケットと、
前記バスケット内に該バスケットに対して相対的に回転可能に配置され、前記中空軸内を通る回転軸により該バスケットに対し回転駆動される攪拌部材と、
からなり、
前記バスケットは、外周面に多数の小孔又はスリットを有し、前記バスケットの上面と下面の少なくとも一方に回転軸にほぼ平行な内周壁面を形成する凹部が設けられ、前記内周壁面に多数の小孔又はスリットを形成され、該バスケットの回転に伴い分散槽内のスラリーが前記凹部から前記内周壁面の前記小孔又はスリットを通って前記バスケット内に入り、前記外周面の前記小孔又はスリットから分散槽内に排出されるようになったことを特徴とする分散装置。
【発明の詳細な説明】
【０００１】
【産業上の利用分野】
本発明は、塗料やインク、磁性材料粒子等の固形微細粒子をさらに細分化するための分散装置及び該分散装置に使用される分散器に関する。特に本発明は、分散槽内に配置され、内部に分散用媒体が収納されたバスケットを備え、該バスケット内に配置された攪拌部材とバスケットとを相対的に回転させることによって、該バスケット内に循環させられるスラリー内の固形微細粒子をさらに細分化するための分散装置及び分散器に関する。
【０００２】
【従来技術】
特開昭60-48126号公報には、円筒形の外周面に多数の小孔又はスリットが形成されたバスケットを備える分散装置が開示されている。この分散装置においては、バスケットは、該バスケット内に多数のガラスビーズ等の分散用媒体を収納して分散槽内に回転しないように支持される。バスケット内には攪拌部材が回転自在に配置され、回転軸によりバスケットに対して相対的に回転させられる。バスケットの上部にはスラリーの導入口があり，スラリーはバスケット上部の導入口からバスケット内部に入り、攪拌部材により与えられる回転力に基づく遠心力作用で半径方向外向きの習性を与えられ、円筒形外周面の小孔又はスリットから分散槽内に排出される。
【０００３】
ヨーロッパ公開特許公報第0378056 号にも同様な分散装置が開示されている。このヨーロッパ公開特許公報の装置では、分散器のバスケットが回転させられ、バスケット内の攪拌部材は回転しないように保持される。また、バスケットは、上下両面にスラリー導入口となる小孔又はスリットが形成される。
【０００４】
【発明が解決しようとする課題】
これら従来の分散装置における分散器の構造は、いずれもバスケットの上下面のいずれか一方又は両方にスラリー導入口となる小孔又はスリットを形成するものである。しかし、これら小孔又はスリットは、バスケット内の分散用媒体が外に洩れるのを阻止できるよう、十分に小さくすることが必要である。そのため、スラリーの流入抵抗が大きくなり、攪拌部材やバスケットの回転によりスラリーに与えられる遠心力の作用でスラリーに流動が生じても、スラリーの大部分はバスケット内に入らず、バスケットの上下の表面に沿って流れる傾向を生じる。その結果、バスケット内を循環するスラリーの流量が少なくなり、分散に時間を要することになる。
【０００５】
本発明は、従来の上述した分散装置においてバスケット内を循環するスラリーの流量が少なくなる、という問題を解決し、バスケット内を循環するスラリーの流量を増大させることができる分散装置及び該分散装置のための分散器を提供することを解決すべき課題とする。
【０００６】
【課題を解決するための手段】
上記課題を解決するため、本発明による分散装置用の分散器は、外周面に多数の小孔又はスリットを有し、内部に分散用媒体が収納され、スラリーを充填した分散槽内に回転自在に配置されるバスケットを備える。該バスケット内には攪拌部材が該バスケットに対して相対的に回転可能なように配置される。そして、このバスケットの上面と下面の少なくとも一方に回転軸にほぼ平行な内周壁面を形成する凹部を設け、該内周壁面に多数の小孔又はスリットを形成して、該バスケットの回転に伴い分散槽内のスラリーが該凹部から内周壁面の小孔又はスリットを通ってバスケット内に入り、外周面の小孔又はスリットから分散槽内に排出されるように構成する。
【０００７】
本発明においては、バスケットの外周面は回転軸に同軸の円筒面であり、凹部は外周面に同軸の円筒形凹部とすることが好ましい。
本発明は又、上述の形式の分散器を用いた分散装置を提供するものであり、この分散装置は、分散される物質を含むスラリーを収容するための分散槽と、該分散槽の内部に配置される分散器とからなる。そして、分散器は、中空軸により分散槽に対して上下方向に移動可能に支持されたバスケットと、該バスケット内に該バスケットに対して相対的に回転可能に配置され、中空軸内を通る回転軸により該バスケットに対し回転駆動される攪拌部材と、からなる。バスケットは、外周面に多数の小孔又はスリットを有し、バスケットの上面と下面の少なくとも一方に回転軸にほぼ平行な内周壁面を形成する凹部が設けられる。また、内周壁面に多数の小孔又はスリットを形成され、該バスケットの回転に伴い分散槽内のスラリーが凹部から内周壁面の小孔又はスリットを通ってバスケット内に入り、外周面の小孔又はスリットから分散槽内に排出される。
【０００８】
【作用】
本発明の上述した分散装置又は分散器の構造によれば、バスケットの凹部に入ったスラリーは、該バスケット又は攪拌部材に与えられる回転力で生じる遠心力作用により該凹部の内壁面の小孔又はスリットを通ってバスケット内に入るように強制されるので、バスケット内に循環させられるスラリーの量か増大する。
【０００９】
【実施例】
以下、本発明の実施例を図２ついて説明する。先ず図１を参照すると、図に示す分散装置は、スラリーが充填される分散槽すなわちスラリータンク１を備える。スラリータンク１の側方には昇降機構２が配置され、該昇降機構２には、該昇降機構２によって上下方向に駆動される昇降軸３が設けられる。昇降軸３には、バスケット駆動機構４が支持される。
図２を参照すると、駆動機構４は、中空のハウジング５を備え、該ハウジング５内には軸受けハウジング６が設けられ、該軸受けハウジング６に設けられた軸受６ａ、６ｂにより中空の垂直軸７が回転自在に支持される。中空垂直軸７はハウジング５から垂直方向下方に延び、下端にバスケット８が固定されている。中空垂直軸７の上端には付プーリー９が固定され、該プーリー９はＶベルト１０を介してモーター１４ａにより回転駆動される。
【００１０】
バスケット８は、上壁８ａと下壁８ｂ、及び円筒形の外周壁８ｃを有し、上壁８ａの半径方向内方部には底壁１１ａと円筒形の内周壁１１ｂとにより円筒形の凹部１１が形成されている。図３に示すように、円筒形の外周壁８ｃと凹部１１の円筒形内周壁１１ｂには多数の小孔又はスリット８ｄ、１１ｃが形成されている。また、図４に示すように、下壁８ｂには多数の小孔又はスリット８ｅが放射状に形成されている。バスケット８内には多数のガラスビーズのような分散媒体８ｆが充填されており、前述の小孔又はスリットは、これら分散媒体が通過しない大きさとする。
中空垂直軸７を貫通して駆動軸１３が配置され、該駆動軸１３の下端はバスケット８内に延び、該バスケット８内に配置された攪拌部材１２が固定さている。本実施例においては、攪拌部材１２は円盤状であり、その外周縁に沿って攪拌ピン１２ａが配置されている。しかし、攪拌部材１２は、放射状に配置された羽根状でもよく、攪拌作用を与え得るものであれば、その他どのような形状にしてもよい。駆動軸１３は、上端がハウジング５の上部に配置されたモーター１４ｂにより回転駆動される。
【００１１】
作動に際しては、先ず昇降機構２を作動させてバスケット駆動機構３を上昇させ、スラリータンク１を所定の位置にセットし、次いで昇降機構によりバスケット８を下げて該バスケット８をスラリータンク１の底に近接した位置に置く。ここで、バスケットをモーター１４ａと中空垂直軸７を介して回転させる。このとき、スラリータンク１内におけるスラリーの流動が、図５に示すようなバスケット８の凹部１１に流れ込む渦流を生じるように、バスケット８の回転速度を設定することが好ましい。
次いでバスケット８内の攪拌部材１２を回転させる。このとき、バスケット８の外周速度と攪拌部材１２の外周速度の差がスラリーの分散に最も適した値となるように攪拌部材の速度を設定することが好ましい。この速度差は、分散される固形微粒子の物理的性質にもよるが、一般には、１５m/sec 以下とすることが好ましく、７m/sec から１２m/sec の範囲内とすることがより好ましい。
【００１２】
凹部１１に入ったスラリーは、攪拌部材の回転により生じる強い遠心力の作用で、該内周壁１１ｂに形成した小孔又はスリット１１ｃを通ってバスケット８内に押し込まれる。同時に、僅かではあるが、バスケット８の下壁８ｂに形成した小孔８ｅからもスラリーがバスケット８内に導入される。バスケット８内のスラリーは、該バスケット８内で流動する分散用媒体との間の摩擦で強い分散作用を受け、固形物が微細な粒子に分散される。その後、スラリーは、バスケット８の外周壁８ｂに形成した小孔８ｄからスラリータンク１内に排出される。このようなスラリーの循環により分散が進行する。
図７は、本発明のさらに別の実施例を示す断面図である。この実施例では、バスケット８の下壁８ｂに、上壁８ａにおける凹部１１と同様な凹部２１が形成される。凹部２１は外壁２１ａと内周壁２１ｂを有し、内周壁２１ｂには多数の小孔又はスリット２１ｃが形成される。この実施例の分散装置も作用は先の実施例におけると同様である。
【００１３】
本発明の分散器の効果を確認するため、図７に示す構造のバスケット８と図８に示すように上下の壁にスラリー導入用の小孔又はスリットを有するバスケットとを使用し、平均粒径Ｄ50が２３μｍのＣａＣＯ3 粒子を固形分として２０％含むスラリーを５０リットルのスラリータンクに投入して分散を行なった。バスケットの外径は、いずれも１５５mmとし、１mm直径のガラスビーズを内部容積の８０％に相当する量だけ充填した。小孔の大きさは、分散媒体であるガラスビーズ直径の約1/3 とした。バスケットの回転数３６５rpm 外周速度2.78m/sec とし、バスケットの外周速度と攪拌部材の外周速度の速度差は7.5m/secとして分散を行なった。その結果を図９に示す。分散粒径が３μｍになるまでの時間で比較すると、本発明のバスケットを使用した場合の時間は従来のバスケットを使用した場合の約1/3 であることが分かる。使用動力も約1/3 に節減されることが確認できた。
【図面の簡単な説明】
【図１】本発明の一実施例を示す分散装置の全体の概略側面図である。
【図２】本発明の実施例におけるバスケットの構造と駆動機構の詳細を示す断面図である。
【図３】本発明の実施例におけるバスケットの構造の詳細を示す断面図である。
【図４】本発明の実施例におけるバスケットの底壁及び小孔の配置を示す平面図である。
【図５】本発明の実施例におけるスラリータンク内のスラリーの流動状態を示す概略図である。
【図６】本発明の実施例の作用を示す断面図である。
【図７】本発明の他の実施例を示す図６と同様な断面図である。
【図８】本発明の実施例との比較実験に用いた従来の分散器の構造を示す断面図である。
【図９】本発明の実施例と従来の分散装置の比較実験の結果を示す図表である。
【符号の説明】
１      スラリータンク
７      中空垂直軸
８      バスケット
８ｂ    底壁
８ｃ    外周壁
１１    凹部
１１ｂ  内周壁
１２    攪拌部材
１３    駆動軸
【図１】
0003845161.tif 000002
【図２】
0003845161.tif 000003
【図３】
0003845161.tif 000004
【図４】
0003845161.tif 000005
【図５】
0003845161.tif 000006
【図６】
0003845161.tif 000007
【図７】
0003845161.tif 000008
【図８】
0003845161.tif 000009
【図９】
0003845161.tif 000010